(57)【要約】本開示の実施例は、本体およびカメラを含み、本体に回転部が設けられ、カメラが回転部に設置され、軸方向に沿って回転部においてカメラの側方に回転つまみ部が設けられ、回転つまみ部が回転部を回転させることができる画像取得装置を提供する。【選択図】図１
2020520184.tif 000002
【特許請求の範囲】
【請求項１】
本体およびカメラを含む画像取得装置において、前記本体に回転部が設けられ、前記カメラが前記回転部に設置され、軸方向に沿って前記回転部において前記カメラの側方に回転つまみ部が設けられ、前記回転つまみ部は前記回転部を回転させることができる画像取得装置。
【請求項２】
前記回転つまみ部が前記本体の外縁に設置される請求項１に記載の画像取得装置。
【請求項３】
前記本体に第一回転支持部が設けられ、前記回転部が前記第一回転支持部により回転可能に支持され、前記カメラおよび前記回転つまみ部がそれぞれ前記第一回転支持部の両側に設置される請求項２に記載の画像取得装置。
【請求項４】
前記本体に第二回転支持部が設けられ、前記カメラが前記第一回転支持部と前記第二回転支持部の間に位置する請求項３に記載の画像取得装置。
【請求項５】
前記第一回転支持部および前記第二回転支持部が前記本体から突出し、前記第一回転支持部と前記第二回転支持部の間に前記回転部を収納する収納空間が形成される請求項４に記載の画像取得装置。
【請求項６】
前記回転つまみ部に摩擦を増大させるための模様が設けられる請求項１に記載の画像取得装置。
【請求項７】
前記本体はさらにスクリーンを含み、前記回転部が前記スクリーンの上方、下方、側方または後方に設置される請求項１に記載の画像取得装置。
【請求項８】
前記回転部が前記スクリーンの上方に設置され、前記回転部の軸線が水平方向に沿って延在する請求項７に記載の画像取得装置。
【請求項９】
前記回転部は円筒状である請求項８に記載の画像取得装置。
【請求項１０】
前記カメラが前記回転部から突出し、前記本体の前記カメラの位置に対向する部位に前記カメラに適合する溝が設けられる請求項９に記載の画像取得装置。
【請求項１１】
前記画像取得装置はさらに証明書読取部、指紋読取部の少なくとも一つを含む請求項１から１０のいずれか一項に記載の画像取得装置。
【請求項１２】
前記本体はベースを含み、前記証明書読取部、指紋読取部の少なくとも一つが前記ベースに設置される請求項１１に記載の画像取得装置。
【発明の詳細な説明】
【技術分野】
【０００１】
（関連出願への相互参照）
本願は出願番号が２０１７２１２４０２５１．２、出願日が２０１７年０９月２５日の中国特許出願に基づいて提出し、かつ該中国特許出願の優先権を主張し、該中国特許出願の全ての内容をここで本願に参照として引用する。
【０００２】
本開示の実施例は、画像取得に関し、特に画像取得装置に関する。
【背景技術】
【０００３】
人々は生活または仕事中に、例えばチャット、認証などの操作を実行するために、カメラを用いて画像を取得する必要がある場面が多く、撮影の角度を調整するために、多くのカメラが回転式に設置され、これによってユーザはカメラを使用しようとする時にカメラの角度を調整することで取得される画像の角度を調整することができるが、角度調整中にカメラのレンズが汚されやすく、汚されたカメラは画像取得効果に影響を及ぼし、さらに、クリーニングを必要とするため、保守コストを増加させ、かつ関連技術によるカメラは角度が調整しにくい。
【発明の概要】
【０００４】
本開示は画像取得装置を提供する。
【０００５】
本開示の実施例は画像取得装置を提供し、本体およびカメラを含み、本体に回転部が設けられ、カメラが回転部に設置され、軸方向に沿って回転部においてカメラの側方に回転つまみ部が設けられ、回転つまみ部は回転部を回転させることができる。
【０００６】
本開示の実施例が提供する画像取得装置は画像取得装置の本体に回転部が設置され、回転部に回転つまみ部が設置され、かつカメラが回転部に設置され、これによってユーザがカメラを回転させようとする時、ユーザは回転つまみ部を調整することでカメラを回転させることができ、回転つまみ部がカメラの側方に設置され、カメラから一定距離離れるため、ユーザは回転つまみを操作する時にカメラと接触することがなく、さらにカメラを汚すことがなくなり、それによりカメラを保守するための作業量を低下させ、また、回転つまみ部によってユーザはカメラを容易に反転でき、ユーザはカメラを回転させる必要がなく、回転つまみのみ回転させてカメラの角度調整を実現でき、より操作しやすい。
【図面の簡単な説明】
【０００７】
【図１】本開示の実施例に係る画像取得装置のカメラ本体の使用状態での状態図を示す。
【図２】本開示の実施例に係る画像取得装置のカメラ本体が上向きに回転する時の状態図を示す。
【図３】本開示の実施例に係る画像取得装置のカメラ本体の未使用状態での状態図を示す。
【発明を実施するための形態】
【０００８】
以下に図面と関連付けて本開示の実施例の例示的な実施例を詳細に説明するが、以下の実施例に限定しない。
【０００９】
本実施例は画像取得装置を提供し、本体１およびカメラ２を含み、本体１に回転部３が設けられ、カメラ２が回転部３に設置され、軸方向に沿って回転部３においてカメラ２の側方に回転つまみ部３１が設けられ、回転つまみ部３１は回転部３を回転させることができる。
【００１０】
ここでの軸方向は、カメラ２と回転つまみ部３１とを繋がる線の方向を含んでもよい。
【００１１】
画像取得装置の本体１は具体的に限定されず、それはスクリーン、ホルダ、入力装置などの装置を含んでもよい。回転部３は画像取得装置の本体１の任意の位置に設置してもよく、カメラ２が回転部３に嵌入され、カメラ２は回転部３と共に回転してカメラ２を異なる角度に調整する。回転つまみ部３１が回転部３に設置され、それによってユーザは回転つまみ部３１を回転させることで回転部３を回転させ、それによりカメラ２を回転させることができる。
【００１２】
本実施が提供する画像取得装置は画像取得装置の本体１に回転部３が設置され、回転部３に回転つまみ部３１が設置され、かつカメラ２が回転部３に設置され、これによってユーザがカメラ２を回転させようとする時、ユーザは回転つまみ部３１を調整することでカメラ２を回転させることができ、回転つまみ部３１がカメラ２の側方に設置され、カメラ２から一定距離離れるため、ユーザは回転つまみを操作する時にカメラ２と接触することがなく、さらにカメラ２を汚すことがなくなり、それによりカメラ２を保守するための作業量を低下させ、また、回転つまみ部３１によってユーザはカメラを容易に反転でき、ユーザはカメラ２を回転させる必要がなく、回転つまみのみを回転させてカメラの角度調整を実現でき、より操作しやすい。
【００１３】
任意選択的に、回転つまみ部３１が本体１の外縁に設置される。外縁に設置されるため、カメラ２の設置位置との距離が長く、カメラを直接回転させることによる汚れを回避し、一方、近すぎる誤操作によるカメラの汚れをも回避する。
【００１４】
いくつかの実施例では、前記カメラ２が前記本体１の一つの縁部の中間位置に設置され、カメラ２を一つの縁部の中間位置に設置することは、画像取得を容易にさせ、ユーザの画像取得の習慣に合わせており、それが縁部位置に設置されるより、画像が中央寄せされない（例えば、カメラが縁部に位置することで取得される人物画像なども画像の縁部に位置する）などの問題が発生しない。また、回転つまみ部３１が本体１の外縁に設置され、それによってカメラ２と回転つまみ部３１の距離を最大化する。
【００１５】
図１に示すように、回転つまみ部３１が画像取得装置の本体１の外縁に設置され、それによってユーザは回転つまみ部３１を容易に操作でき、回転つまみ部３１は本体１の外縁から突出してもよく、本体内に収納されてもよく、当然、他の任意の設置可能な位置に設置してもよい。
【００１６】
回転つまみ部３１は本体１の外縁から突出しても良く、それによってユーザの操作が容易になり、回転つまみ部３１が本体１の外縁とそろえるよりも、ユーザの指はより効果的に力を加えることができ、調整に役立つ。
【００１７】
当然、いくつかの実施例では、前記回転つまみ部３１は前記本体１の外縁とそろえるようになってもよいが、回転の便利さのために、前記回転つまみ部３１と前記本体１の間に一定の隙間が設置され、該隙間によってユーザの指はより容易に作業でき、同様に調整の便利さに役立つ。
【００１８】
任意選択的に、本体１に第一回転支持部１１が設けられ、回転部３は回転支持部により回転可能に支持され、カメラ２および回転つまみ部３１がそれぞれ第一回転支持部１１の両側に設置される。
【００１９】
本実施例では第一回転支持部１１が円筒状で、回転部３が第一回転支持部１１に穿設され、回転部３の両端が第一回転支持部１１外に位置し、カメラ２が第一回転支持部１１の片側に設置され、回転つまみ部３１が第一回転支持部１１の他側に設置される。
【００２０】
任意選択的に、本体１に第二回転支持部１２が設けられ、カメラ２が第一回転支持部１１と第二回転支持部１２の間に位置する。
【００２１】
図１から図３に示すように、第一回転支持部１１と第二回転支持部１２の間に一定の収納空間が空けられ、カメラ２が該収納空間内に設置される。第一回転支持部１１および第二回転支持部１２にそれぞれ回転部３が設けられ、カメラ２が第一回転支持部１１および第二回転支持部１２内の回転部３とそれぞれ接続され、ユーザは第一回転支持部１１における回転部３を回転させることでカメラ２を調整でき、また第二回転支持部１２における回転部３を回転させることでカメラ２を調整することもできる。
【００２２】
任意選択的に、第一回転支持部１１および第二回転支持部１２が本体１から突出し、第一回転支持部１１と第二回転支持部１２の間に回転部３を収納する収納空間が形成される。
【００２３】
図１から図３に示すように、本実施例では第一回転支持部１１および第二回転支持部１２が画像取得装置の本体１から突出するように設けられ、これによってカメラ２の取り付けおよび操作がより容易かつ柔軟になる。
【００２４】
任意選択的に、回転つまみ部３１に摩擦を増大させるための模様が設けられる。摩擦を増大させる模様によって、ユーザの指は調整時により容易に力を加えることができ、これによって、手間がかかる調整を回避する。
【００２５】
模様によって回転つまみ部３１の摩擦力が増大し、ユーザの操作に役立つ。本実施例における模様の構造は具体的に限定されず、それは直線型、Ｖ字型、多角形などのタイプであってもよい。
【００２６】
別のいくつかの実施例では、前記回転つまみ部３１に調整目盛りが設置され、該調整目盛りはカメラの調整角度を計測するために用いることができ、これによって、ユーザは調整目盛りに基づいてカメラの向きまたは取得角度を正確に調整できる。
【００２７】
任意選択的に、画像取得装置の本体１はさらにスクリーン４を含み、回転部３がスクリーン４の上方、下方、側方または後方に設置される。ここでの上方は前記スクリーン４のベース５から離れる一方であってもよく、下方は前記上方に対向し、スクリーンのベース５と接続される一端であってもよい。前記側方はスクリーン４の表示面の二つの側面が向かっている一方であってもよい。ここでの側面はスクリーン４の上方縁部および下方縁部と接続される。ここでの後方は前記スクリーン４の表示面の反対面であってもよい。表示面は前記スクリーン４の表示画面の一面である。
【００２８】
本実施例は任意選択的に回転部３がスクリーン４の上方に設置され、即ちカメラ２がスクリーン４の上方に設置され、それによってユーザの画像取得を容易にする。ただし、これに限定されず、回転部３は任意の取り付けたい位置に設置してもよい。他の実現可能な形態では、一つのスクリーン４に複数の回転部３が設置されてもよく、即ち複数のカメラ２が設置され、それによってユーザの要求を満たす。
【００２９】
任意選択的に、図１に示すように、回転部３がスクリーン４の上方に設置され、回転部３の軸線が水平方向に沿って延在する。
【００３０】
図１から図３に示すように、本実施例では回転部３がスクリーン４の上方に設置され、同時に回転支持部およびカメラ２もスクリーン４の上方に設置される。回転部３がスクリーン４の長さ方向に沿って設置され、回転つまみ部３１が回転部３の外側に設置され、カメラ２が回転部３の内側に設置され、ユーザは回転つまみ部３１を回転させることでカメラ２の角度を容易に調整できる。
【００３１】
任意選択的に、回転部３は円筒状である。回転部３を円筒状の円筒体として設置することで、円筒状の円筒体の内部空間によってカメラを取り付けることが可能になり、一方、円筒状の円筒体の円周面によって円滑に回転させることも可能になる。
【００３２】
回転部３の形状は具体的に限定されず、それは直方体形、円筒形などの任意の形状であってもよく、本実施例における回転部３は円筒状で、これによって回転部３の回転を容易にし、回転中の回転部３と画像取得装置の本体１の間の干渉を防止することができる。
【００３３】
任意選択的に、カメラ２が回転部３から突出し、本体１のカメラ２の位置に対向する部位にカメラ２に適合する溝が設けられる。
【００３４】
図１から図３に示すように、画像取得装置の本体に設置される溝によって、カメラ２を使用しない時に、カメラ２を隠蔽し、カメラ２を保護し、カメラ２の損傷を防止することができ、またカメラ２の表面に落下する塵埃をも回避できる。溝が本体１においてカメラ２に対向する位置に設置され、カメラ２を再度使用しない時、ユーザは回転つまみ部３１を駆動することでカメラ２を溝内に繰り込むことができ、カメラ２を再度使用したい時、カメラ２を改めて繰り出せばよい。溝の断面形状は具体的に限定されず、それは多角形または円弧形などの任意の形状であってもよい。
【００３５】
任意選択的に、画像取得装置はさらに証明書読取部、指紋読取部の少なくとも一つを含む。
【００３６】
画像取得装置は証明書読取部によってユーザの身分証明書、社員証などの証明書を読み取り、ユーザの証明書情報をリアルタイムに取得することができ、ユーザ識別、認証などの要求を満たすことができる。画像取得装置は指紋読取部によってユーザの指紋を認識でき、指紋認識によってユーザの認証などの動作を実行できる。本実施例における画像取得装置は必要に応じて証明書読取部および指紋読取部を同時に設置してもよく、また必要に応じて取り付けてもよい。例えば、本実施例における画像取得装置は認証照合装置として、カメラ２によって人物の画像、例えば顔の画像を取得し、人物の画像に基づいて人物の情報を識別し、かつ証明書読取部が取得した証明書情報、または指紋読取部が取得した指紋情報と比較し、総合的に判定することができる。
【００３７】
任意選択的に、本体１はベース５を含み、証明書読取部、指紋読取部の少なくとも一つがベース５に設置される。
【００３８】
ベース５が画像取得装置の底部に設置され、ベース５に証明書読取部または指紋読取部を設置することでユーザは容易に証明書の識別認証または指紋の識別認証をできる。
【００３９】
本実施例が提供する画像取得装置は画像取得装置の本体に回転部が設置され、回転部に回転つまみ部が設置され、かつカメラが回転部に設置され、これによってユーザがカメラを回転させようとする時、ユーザは回転つまみ部を調整することでカメラを回転させることができ、回転つまみ部がカメラの側方に設置され、カメラから一定距離離れるため、ユーザは回転つまみを操作する時にカメラと接触することがなく、さらにカメラを汚すことがなくなり、それによりカメラを保守するための作業量を低下させ、また、回転つまみ部によってユーザはカメラを容易に反転でき、ユーザはカメラを回転させる必要がなく、回転つまみのみを回転させてカメラの角度調整を実現でき、より操作しやすい。
【００４０】
以上の記載は、本開示の実施例の具体的な実施形態に過ぎず、本開示の実施例の保護範囲がこれに限定されず、当業者であれば、本開示の実施例が開示する技術的範囲内で、簡単に想到できる変形または置換は、全て本開示の実施例の保護範囲に属する。従って、本開示の実施例の保護範囲は前記特許請求の範囲に準ずるべきである。
【符号の説明】
【００４１】
１、本体
１１、第一回転支持部
１２、第二回転支持部
２、カメラ
３、回転部
３１、回転つまみ部
４、スクリーン
５、ベース
【図１】
2020520184.tif 000003
【図２】
2020520184.tif 000004
【図３】
2020520184.tif 000005
【国際調査報告】
2020520184.tif 000006
2020520184.tif 000007
2020520184.tif 000008
2020520184.tif 000009
2020520184.tif 000010
2020520184.tif 000011